(57)【要約】      （修正有）【課題】車両についての知識が乏しい者に対して車両の診断支援を適切に行うことのできる車両診断システム及び車両診断方法を提供する。【解決手段】診断用端末装置４０から送信される情報要求コマンドを、インターネット上のサーバ装置３０に、次いで携帯端末装置２０に、更に、携帯端末装置２０からＢＬＥ無線通信によりアダプタ１０に順次伝送させる要求コマンド伝送システムと、前記情報要求コマンドに応答してアダプタ１０が車両のＥＣＵから取得した車両情報を、前記ＢＬＥ無線通信により携帯端末装置２０に、そして、携帯端末装置２０からサーバ装置３０に、次いで診断用端末装置４０に順次伝送させる要求応答伝送システムと、を備え、診断用端末装置４０は、受信した前記車両情報に基づいた情報を、前記車両を診断するための情報として、出力する車両情報表示Ｓ４２を備える構成となる。【選択図】図１０Ｂ
2019027816.tif 000002
【特許請求の範囲】
【請求項１】
車両に搭載され、該車両の制御装置と情報の送受を行なうアダプタと、
前記アダプタとインターネット上の装置との間の情報の送受を可能にする通信システムと、
前記インターネット上の装置と通信可能な診断用端末装置と、
前記アダプタと前記通信システムを介した通信及び前記診断用端末装置との通信のそれぞれが可能な前記インターネット上のサーバ装置と、
所定の操作に従って前記診断用端末装置から送信される情報要求コマンドを、前記インターネット上の前記サーバ装置に、そして、該サーバ装置から前記通信システムを介して前記アダプタに順次伝送させる要求コマンド伝送システムと、
前記情報要求コマンドに応答して前記アダプタが前記車両の前記制御装置から取得した当該車両の状態を表す車両情報を、前記通信システムを介して前記インターネット上の前記サーバ装置に、そして、該サーバ装置から前記診断用端末装置に伝送させる要求応答伝送システムとを備え、
前記診断用端末装置は、前記情報要求コマンドを送信した後に受信した前記車両情報に基づいた情報を、前記車両を診断するための情報として、出力する情報出力部を備える、車両診断システム。
【請求項２】
前記通信システムは、
前記アダプタに設けられ、所定の近距離無線通信規則に従って無線通信を行なう近距離無線通信ユニットと、
所定のアプリケーションプログラムに従って動作し、前記アダプタの前記近距離無線通信ユニットと前記近距離無線通信規則に従って無線通信を行なう一方、前記インターネット上の装置と通信可能な携帯端末装置とを含み、
前記要求コマンド伝送システムは、前記診断用端末装置から送信される前記情報要求コマンドを、前記インターネット上の前記サーバ装置に、そして、該サーバ装置から前記携帯端末装置に、更に、該携帯端末装置から前記近距離無線通信規則に従った無線通信により前記アダプタの前記近距離無線通信ユニットに順次伝送させ、
前記要求応答伝送システムは、前記アダプタが前記車両の前記制御装置から取得した前記車両情報を、前記近距離無線通信ユニットから前記近距離無線通信規則に従った無線通信により前記携帯端末装置に、そして、該携帯端末装置から前記サーバ装置に、更に、該サーバ装置から前記診断用端末装置に順次伝送させる、請求項１記載の車両診断システム。
【請求項３】
前記診断用端末装置は、情報出力部により前記情報の出力がなされた後に所定の操作に従って生成された情報を、前記車両の診断結果情報として、前記携帯端末装置に宛てて送信する診断結果送信部を有する請求項２記載の車両診断システム。
【請求項４】
前記サーバ装置は、前記アダプタと前記近距離無線通信規則に従った無線通信が可能な状態で接続される前記携帯端末装置との通信路を形成する第１通信路形成手段と、
前記診断用端末装置との通信路を形成する第２通信路形成手段とを有する請求項２または３記載の車両診断システム。
【請求項５】
前記携帯端末装置は、前記アダプタから送信される前記車両情報に基づいて前記車両が予め定めた停止状態にあることを確認する車両停止確認手段と、
該車両停止確認手段により前記車両が前記停止状態であると確認された後に、前記サーバ装置との間の通信を許容する通信接続制御手段とを有する請求項２乃至４のいずれかに記載の車両診断システム。
【請求項６】
車両に搭載され、該車両の制御装置と情報の送受を行なうとともに、所定の近距離無線通信規則に従って無線通信可能なアダプタと、
所定のアプリケーションプログラムに従って動作し、前記アダプタと前記近距離無線通信規則に従って無線通信を行なう一方、インターネット上の装置と通信可能な携帯端末装置と、
前記インターネット上の装置と通信可能な診断用端末装置と、
前記携帯端末装置及び前記診断用端末装置のそれぞれと通信可能な前記インターネット上のサーバ装置と、
所定の操作に従って前記診断用端末装置から送信される情報要求コマンドを、前記インターネット上の前記サーバ装置に、そして、該サーバ装置から前記携帯端末装置に、更に、該携帯端末装置から前記近距離無線通信規則に従った無線通信により前記アダプタに順次伝送させる要求コマンド伝送システムと、
前記情報要求コマンドに応答して前記アダプタが前記車両の前記制御装置から取得した当該車両の状態を表す車両情報を、前記近距離無線通信規則に従った無線通信により前記携帯端末装置に、そして、該携帯端末装置から前記サーバ装置に、更に、該サーバ装置から前記診断用端末装置に順次伝送させる要求応答伝送システムと、を備え、
前記診断用端末装置は、前記情報要求コマンドを送信した後に受信した前記車両情報に基づいた情報を、前記車両を診断するための情報として、出力する情報出力部を備える、車両診断システム。
【請求項７】
請求項１乃至６のいずれかに記載の車両診断システムに用いられるアダプタ。
【請求項８】
請求項１乃至６のいずれかに記載の車両診断システムに用いられる診断用端末装置。
【請求項９】
請求項６に記載の車両診断システムに用いられる携帯端末装置。
【請求項１０】
車両に搭載され、該車両の制御装置と情報の送受を行なうアダプタと、
前記アダプタとインターネット上の装置との間の情報の送受を可能にする通信システムと、
前記インターネット上の装置と通信可能な診断用端末装置と、
前記アダプタと前記通信システムを介した通信及び前記診断用端末装置との通信のそれぞれが可能な前記インターネット上のサーバ装置とを用いた車両診断方法であって、
所定の操作に従って前記診断用端末装置から送信される情報要求コマンドを、前記インターネット上の前記サーバ装置に、そして、該サーバ装置から前記通信システムを介して前記アダプタに順次伝送させる要求コマンド伝送ステップと、
前記情報要求コマンドに応答して前記アダプタが前記車両の前記制御装置から取得した当該車両の状態を表す車両情報を、前記通信システムを介して前記インターネット上の前記サーバ装置に、そして、該サーバ装置から前記診断用端末装置に伝送させる要求応答伝送ステップと、
前記診断用端末装置が、前記情報要求コマンドを送信した後に受信した前記車両情報に基づいた情報を、前記車両を診断するための情報として、出力する情報出力ステップと、
該情報出力ステップにより提供される情報に基づいて前記車両の状態を診断する診断ステップと、を備える、車両診断方法。
【請求項１１】
車両に搭載され、該車両の制御装置と情報の送受を行なうとともに、所定の近距離無線通信規則に従って通信可能なアダプタと、
所定のアプリケーションプログラムに従って動作し、前記アダプタと前記近距離無線通信規則に従って無線通信を行なう一方、前記インターネット上の装置と通信可能な携帯端末装置と、
前記インターネット上の装置と通信可能な診断用端末装置と、
前記携帯端末装置及び前記診断用端末装置のそれぞれと通信可能な前記インターネット上のサーバ装置とを用いた車両診断方法であって、
所定の操作に従って前記診断用端末装置から送信される情報要求コマンドを、前記インターネット上の前記サーバ装置に、そして、該サーバ装置から前記携帯端末装置に、更に、該携帯端末装置から前記近距離無線通信規則に従った無線通信により前記アダプタに順次伝送させる要求コマンド伝送ステップと、
前記情報要求コマンドに応答して前記アダプタが前記車両の前記制御装置から取得した当該車両の状態を表す車両情報を、前記近距離無線通信規則に従った無線通信により前記携帯端末装置に、そして、該携帯端末装置から前記サーバ装置に、更に、該サーバ装置から前記診断用端末装置に順次伝送させる要求応答伝送ステップと、
前記診断用端末装置が、前記情報要求コマンドを送信した後に受信した前記車両情報に基づいた情報を、前記車両を診断するための情報として、出力する情報出力ステップと、
該情報出力ステップにより提供される情報に基づいて前記車両の状態を診断する診断ステップと、を備える、車両診断方法。
【請求項１２】
車両に搭載され、該車両の制御装置と情報の送受を行なうとともに、所定の近距離無線通信規則に従って無線通信可能なアダプタと、
所定のアプリケーションプログラムに従って動作し、前記アダプタと前記近距離無線通信規則に従って無線通信を行なう一方、インターネット上の装置と通信可能な携帯端末装置と、
前記携帯端末装置と通信可能なインターネット上のサーバ装置とを備え、
前記携帯端末装置は、
前記車両の前記制御装置から当該車両の状態を表す車両情報を収集する前記アダプタから、前記近距離無線通信規則に従った無線通信により、前記車両情報を取得する車両情報取得手段と、
該車両情報取得手段により取得された前記車両情報を前記インターネット上の前記サーバ装置に送信する車両情報送信手段とを有し、
前記サーバ装置は、
前記携帯端末装置から送信される前記車両情報を所定のアルゴリズムに従って集計処理する車両情報集計処理手段と、
前記携帯端末装置からの要求に応じて、前記車両情報処理手段にて得られる集計処理結果に基づいた所定種類の診断情報を前記携帯端末装置に送信する手段を有する車両診断システム。
【請求項１３】
前記サーバ装置は、
前記車両情報に基づいて前記車両が停止していることを確認する停止確認手段と、
前記停止確認手段が前記車両の停止を確認した後、前記車両情報処理手段に前記車両情報を処理させる車両情報処理制御手段とを有する請求項１２記載の車両診断システム。
【請求項１４】
前記サーバ装置は、
前記車両集計処理手段に供される前記車両情報が所定の基準に基づいて前記車両の状態が異常状態であることを表していると判定されるときに、前記携帯端末装置に所定の報知情報をプッシュ送信する報知手段を有する、請求項１３記載の車両診断システム。
【請求項１５】
前記携帯端末装置は、前記近距離無線通信規則に従って前記アダプタと無線接続状態になったとき、それを契機に、前記アプリケーションプログラムを立ち上げる制御手段を有する請求項１２乃至１４のいずれかに記載の車両診断システム。
【請求項１６】
請求項１２乃至１５のいずれかに記載の車両診断システムに用いられる携帯端末装置。
【請求項１７】
請求項１２乃至１５のいずれかに記載の車両診断システムに用いられるサーバ装置。
【発明の詳細な説明】
【技術分野】
【０００１】
本発明は、車両の状態を知るための情報を提供する車両診断システム及び車両診断方法に関し、また、本発明は、車両に搭載され、前記車両診断システムに用いられるアダプタ、車両の搭乗者が携帯することで前記車両診断システムに用いられる携帯端末装置、更に、インターネット上に配置されて前記車両診断システムに用いられるサーバ装置に関する。
【背景技術】
【０００２】
従来、特許文献１に記載された車両診断システムが知られている。この車両診断システムは、車両に搭載された各種ＥＣＵ（制御装置）と情報の送受を行なうとともに、インターネット上の装置との通信が可能なＯＢＤ（On-board diagnostics）端末、携帯通信端末（携帯電話端末、ＰＤＡ等）、及びインターネット上に配置される情報サーバ装置により構成されている。このシステムでは、携帯通信端末から要求（診断対象の車両を識別するためのメーカ名、車名、年式等の車種識別情報）が情報サーバ装置に送信されると、情報サーバ装置からＯＢＤ端末にその要求が伝えられる。そして、ＯＢＤ端末は、前記要求に応じて、車両の各種ＥＣＵから車両機器を診断した結果を示す診断結果情報を受信し、その診断結果情報をサーバ装置に送信する。ＯＢＤ端末から前記診断結果情報を受信した情報サーバ装置は、その診断結果情報を携帯通信端末に送信し、携帯端末装置では、その診断結果情報が表示部に表示される。その結果、当該携帯端末装置の所持者、例えば、前記車両の搭乗者は、当該車両の診断結果情報を見ることができる。
【先行技術文献】
【特許文献】
【０００３】
【特許文献１】特開２００９−２６４７７０号公報
【発明の概要】
【発明が解決しようとする課題】
【０００４】
ところで、上述した従来の車両診断システムでは、ＯＢＤ端末によって収集された車両の各種ＥＣＵからの診断結果情報が携帯通信端末に表示されるだけなので、車両の構造、車両に搭載された機器や電装品等などの知識に乏しい者が携帯通信端末の表示部に表示された診断情報を見ただけでは、実際に車両がどのような状態であるかを理解することが難しい。例えば、車両の状態を表すバッテリの電圧の情報が表示されたとしても、その電圧から、バッテリを交換する時期の目安を知ることが難しい。
【０００５】
本発明は、このような事情に鑑みてなされたもので、車両についての知識が乏しい者に対して車両の診断支援を適切に行うことのできる車両診断システム及び車両診断方法を提供するものである。
【０００６】
また、本発明は、上記のような車両診断システムに用いられるアダプタ、携帯端末装置及びサーバ装置のそれぞれに関する。
【課題を解決するための手段】
【０００７】
本発明に係る第１の車両診断システムは、車両に搭載され、該車両の制御装置と情報の送受を行なうアダプタと、前記アダプタとインターネット上の装置との間の情報の送受を可能にする通信システムと、前記インターネット上の装置と通信可能な診断用端末装置と、前記アダプタと前記通信システムを介した通信及び前記診断用端末装置との通信のそれぞれが可能な前記インターネット上のサーバ装置と、所定の操作に従って前記診断用端末装置から送信される情報要求コマンドを、前記インターネット上の前記サーバ装置に、そして、該サーバ装置から前記通信システムを介して前記アダプタに順次伝送させる要求コマンド伝送システムと、前記情報要求コマンドに応答して前記アダプタが前記車両の前記制御装置から取得した当該車両の状態を表す車両情報を、前記通信システムを介して前記インターネット上の前記サーバ装置に、そして、該サーバ装置から前記診断用端末装置に伝送させる要求応答伝送システムとを備え、前記診断用端末装置は、前記情報要求コマンドを送信した後に受信した前記車両情報に基づいた情報を、前記車両を診断するための情報として、出力する情報出力部を備える構成となる。
【０００８】
このような構成により、所定の操作に従って診断用端末装置から送信される情報要求コマンドが、インターネット上のサーバ装置に、そして、サーバ装置から通信システムを介してアダプタに順次伝送され、この情報要求コマンドに応答してアダプタが車両の制御装置から取得した当該車両の状態を表す車両情報が、前記アダプタから前記通信システムを介して前記インターネット上のサーバ装置に、そして、サーバ装置から前記診断用端末装置に順次伝送される。診断用端末装置では、前記情報要求コマンドを送信した後、前記車両情報を受信すると、当該車両情報に基づいた情報が、前記車両を診断するための情報として、出力される。そして、診断用端末装置から出力される情報に基づいて、前記車両の状態を診断することができる。
【０００９】
本発明に係る第１の車両診断システムにおいて、前記通信システムは、前記アダプタに設けられ、所定の近距離無線通信規則に従って無線通信を行なう近距離無線通信ユニットと、所定のアプリケーションプログラムに従って動作し、前記アダプタの前記近距離無線通信ユニットと前記近距離無線通信規則に従って無線通信を行なう一方、前記インターネット上の装置と通信可能な携帯端末装置とを含み、前記要求コマンド伝送システムは、前記診断用端末装置から送信される前記情報要求コマンドを、前記インターネット上の前記サーバ装置に、そして、該サーバ装置から前記携帯端末装置に、更に、該携帯端末装置から前記近距離無線通信規則に従った無線通信により前記アダプタの前記近距離無線通信ユニットに順次伝送させ、前記要求応答伝送システムは、前記アダプタが前記車両の前記制御装置から取得した前記車両情報を、前記近距離無線通信ユニットから前記近距離無線通信規則に従った無線通信により前記携帯端末装置に、そして、該携帯端末装置から前記サーバ装置に、更に、該サーバ装置から前記診断用端末装置に順次伝送させる構成とすることができる。
【００１０】
このような構成により、携帯端末装置を所持する者が車両に搭乗する等、前記携帯端末装置が、近距離無線通信規則に従って、前記車両に搭載されるアダプタの近距離無線通信ユニットと無線通信が可能な状態において、所定の操作に従って診断用端末装置から送信される情報要求コマンドが、インターネット上のサーバ装置に、そして、そのインターネット上のサーバ装置から携帯端末装置に、更に、携帯端末装置から近距離無線通信規則に従った無線通信により前記近距離無線通信ユニット（アダプタ）に順次伝送され、この情報要求コマンドに応答してアダプタが車両の制御装置から取得した当該車両の状態を表す車両情報が、前記近距離無線通信ユニット（アダプタ）から近距離無線通信規則に従った無線通信により前記携帯端末装置に、そして、当該携帯端末装置から前記インターネット上のサーバ装置に、更に、当該サーバ装置から前記診断用端末装置に順次伝送される。
【００１１】
本発明に係る第１の車両診断システムにおいて、前記診断用端末装置は、情報出力部により前記情報の出力がなされた後に所定の操作に従って生成された情報を、前記車両の診断結果情報として、前記携帯端末装置に宛てて送信する診断結果送信部を有する構成とすることができる。
【００１２】
このような構成により、診断用端末装置の情報出力部によって出力された情報に基づいて車両の診断（遠隔診断）を行った結果を表す情報を所定の操作によって生成することにより、その情報が当該車両の診断結果として携帯端末装置に宛てて送られる。その結果、携帯端末装置の所持者（例えば、車両の運転者）は、その診断結果としての情報を携帯体端末装置において確認することにより、当該車両の状態を知ることができる。
【００１３】
本発明に係る第１の車両診断システムにおいて、前記サーバ装置は、前記アダプタと前記近距離無線通信規則に従った無線通信が可能な状態で接続される前記携帯端末装置との通信路を形成する第１通信路形成手段と、前記診断用端末装置との通信路を形成する第２通信路形成手段とを有する構成とすることができる。
【００１４】
このような構成により、サーバ装置によって、当該サーバ装置と携帯端末装置との間に通信路が形成されるとともに、当該サーバ装置と診断用端末装置との間に通信路が形成されると、前記診断用端末装置から送信される前記情報要求コマンドを前記アダプタの前記近距離無線通信ユニットまで順次伝送させる要求コマンド伝送システムと、前記アダプタが車両の制御装置から取得した前記車両情報を前記近距離無線通信ユニットから前記診断用端末装置まで順次伝送させる要求応答伝送システムとを構築することができる。
【００１５】
本発明に係る第１の車両診断システムにおいて、前記携帯端末装置は、前記アダプタから送信される前記車両情報に基づいて前記車両が予め定めた停止状態にあることを確認する車両停止確認手段と、該車両停止確認手段により前記車両が前記停止状態であると確認された後に、前記サーバ装置との間の通信を許容する通信接続制御手段とを有する構成とすることができる。
【００１６】
このような構成により、車両が停止状態にあるときに、携帯通信端末とインターネット上のサーバ装置との通信が許容されるようになるので、車両が停止状態にあるときに、要求コマンド伝送システムが有効になる。その結果、車両が停止状態にないときに、情報要求コマンドがアダプタに伝送されて、前記アダプタがその情報要求コマンドに応答して車両の制御装置から車両情報を取得することが防止される。即ち、車両が走行中に、当該車両の各部を制御する前記制御装置とアダプタとの情報の送受を防止することができる。
【００１７】
本発明に係る第２の車両診断システムは、車両に搭載され、該車両の制御装置と情報の送受を行なうとともに、所定の近距離無線通信規則に従って無線通信可能なアダプタと、所定のアプリケーションプログラムに従って動作し、前記アダプタと前記近距離無線通信規則に従って無線通信を行なう一方、インターネット上の装置と通信可能な携帯端末装置と、前記インターネット上の装置と通信可能な診断用端末装置と、前記携帯端末装置及び前記診断用端末装置のそれぞれと通信可能な前記インターネット上のサーバ装置と、所定の操作に従って前記診断用端末装置から送信される情報要求コマンドを、前記インターネット上の前記サーバ装置に、そして、該サーバ装置から前記携帯端末装置に、更に、該携帯端末装置から前記近距離無線通信規則に従った無線通信により前記アダプタに順次伝送させる要求コマンド伝送システムと、前記情報要求コマンドに応答して前記アダプタが前記車両の前記制御装置から取得した当該車両の状態を表す車両情報を、前記近距離無線通信規則に従った無線通信により前記携帯端末装置に、そして、該携帯端末装置から前記サーバ装置に、更に、該サーバ装置から前記診断用端末装置に順次伝送させる要求応答伝送システムと、を備え、前記診断用端末装置は、前記情報要求コマンドを送信した後に受信した前記車両情報に基づいた情報を、前記車両を診断するための情報として、出力する情報出力部を備える構成となる。
【００１８】
このような構成により、所定の操作に従って診断用端末装置から送信される情報要求コマンドが、インターネット上のサーバ装置に、そして、該サーバ装置から携帯端末装置に、更に、該携帯端末装置から近距離無線通信規則に従った無線通信によりアダプタに順次伝送され、この情報要求コマンドに応答してアダプタによって車両の制御装置から取得された当該車両の状態を表す車両情報が、前記アダプタから前記近距離無線通信規則に従った無線通信により前記携帯端末装置に、そして、該携帯端末装置から前記サーバ装置に、更に、該サーバ装置から前記診断用端末装置に順次伝送される。診断用端末装置では、前記情報要求コマンドを送信した後、前記車両情報を受信すると、当該車両情報に基づいた情報が、前記車両を診断するための情報として、出力される。
【００１９】
本発明に係るアダプタは、前述した第１の車両診断システム及び第２の車両診断システムのそれぞれにおいて用いられる前記アダプタであり、本発明に係る診断用端末装置は、前述した第１の車両診断システム及び第２の車両診断システムのそれぞれにおいて用いられる前記診断用端末装置であり、本発明に係る携帯端末装置は、前述した第２の車両診断装置において用いられる前記携帯端末装置である。
【００２０】
本発明に係る第１の車両診断方法は、車両に搭載され、該車両の制御装置と情報の送受を行なうアダプタと、前記アダプタとインターネット上の装置との間の情報の送受を可能にする通信システムと、前記インターネット上の装置と通信可能な診断用端末装置と、前記アダプタと前記通信システムを介した通信及び前記診断用端末装置との通信のそれぞれが可能な前記インターネット上のサーバ装置とを用いた車両診断方法であって、所定の操作に従って前記診断用端末装置から送信される情報要求コマンドを、前記インターネット上の前記サーバ装置に、そして、該サーバ装置から前記通信システムを介して前記アダプタに順次伝送させる要求コマンド伝送ステップと、前記情報要求コマンドに応答して前記アダプタが前記車両の前記制御装置から取得した当該車両の状態を表す車両情報を、前記通信システムを介して前記インターネット上の前記サーバ装置に、そして、該サーバ装置から前記診断用端末装置に伝送させる要求応答伝送ステップと、前記診断用端末装置が、前記情報要求コマンドを送信した後に受信した前記車両情報に基づいた情報を、前記車両を診断するための情報として、出力する情報出力ステップと、該情報出力ステップにより提供される情報に基づいて前記車両の状態を診断する診断ステップと、を備える、構成となる。
【００２１】
また、本発明に係る第２の車両診断方法は、車両に搭載され、該車両の制御装置と情報の送受を行なうとともに、所定の近距離無線通信規則に従って通信可能なアダプタと、所定のアプリケーションプログラムに従って動作し、前記アダプタと前記近距離無線通信規則に従って無線通信を行なう一方、前記インターネット上の装置と通信可能な携帯端末装置と、前記インターネット上の装置と通信可能な診断用端末装置と、前記携帯端末装置及び前記診断用端末装置のそれぞれと通信可能な前記インターネット上のサーバ装置とを用いた車両診断方法であって、所定の操作に従って前記診断用端末装置から送信される情報要求コマンドを、前記インターネット上の前記サーバ装置に、そして、該サーバ装置から前記携帯端末装置に、更に、該携帯端末装置から前記近距離無線通信規則に従った無線通信により前記アダプタに順次伝送させる要求コマンド伝送ステップと、前記情報要求コマンドに応答して前記アダプタが前記車両の前記制御装置から取得した当該車両の状態を表す車両情報を、前記近距離無線通信規則に従った無線通信により前記携帯端末装置に、そして、該携帯端末装置から前記サーバ装置に、更に、該サーバ装置から前記診断用端末装置に順次伝送させる要求応答伝送ステップと、前記診断用端末装置が、前記情報要求コマンドを送信した後に受信した前記車両情報に基づいた情報を、前記車両を診断するための情報として、出力する情報出力ステップと、該情報出力ステップにより提供される情報に基づいて前記車両の状態を診断する診断ステップと、を備える構成となる。
【００２２】
更に、本発明に係る第３の車両診断システムは、車両に搭載され、該車両の制御装置と情報の送受を行なうとともに、所定の近距離無線通信規則に従って無線通信可能なアダプタと、所定のアプリケーションプログラムに従って動作し、前記アダプタと前記近距離無線通信規則に従って無線通信を行なう一方、インターネット上の装置と通信可能な携帯端末装置と、前記携帯端末装置と通信可能なインターネット上のサーバ装置とを備え、前記携帯端末装置は、前記車両の前記制御装置から当該車両の状態を表す車両情報を収集する前記アダプタから、前記近距離無線通信規則に従った無線通信により、前記車両情報を取得する車両情報取得手段と、該車両情報取得手段により取得された前記車両情報を前記インターネット上の前記サーバ装置に送信する車両情報送信手段とを有し、前記サーバ装置は、前記携帯端末装置から送信される前記車両情報を所定のアルゴリズムに従って集計処理する車両情報集計処理手段と、前記携帯端末装置からの要求に応じて、前記車両情報集計処理手段にて得られる集計処理結果に基づいた所定種類の診断情報を前記携帯端末装置に送信する手段を有する構成となる。
【００２３】
このような構成により、アダプタによって車両の制御装置から収集される当該車両の状態を表す車両情報が、当該アダプタから近距離無線通信規則に従った無線通信によって携帯端末装置に送信され、そして、該携帯端末装置からインターネット上のサーバ装置に送信される。サーバ装置では、前記携帯端末装置から送信される前記車両情報が所定のアルゴリズムに従って集計処理される。そして、前記携帯端末装置の要求に応じて、前記集計処理の結果に基づいた所定種類の診断情報がサーバ装置から前記携帯端末装置に送信される。
【００２４】
本発明に係る第３の車両診断システムにおいて、前記サーバ装置は、前記車両情報に基づいて前記車両が停止していることを確認する停止確認手段と、前記停止確認手段が前記車両の停止を確認した後、前記車両情報集計処理手段に前記車両情報を集計処理させる車両情報処理制御手段とを有する構成とすることができる。
【００２５】
このような構成によれば、車両が走行中に携帯端末装置からの要求があっても、その走行中における当該車両の状態を表す車両情報が診断情報に反映されない。そのことを携帯端末の利用者に知らせておくことにより、車両が走行中における利用者による携帯端末装置での要求操作を防止することができる。
【００２６】
本発明に係る第３の車両診断システムにおいて、前記車両集計処理手段に供される前記車両情報が所定の基準に基づいて前記車両の状態が異常であることを表していると判定されるときに、前記携帯端末装置に所定の報知情報をプッシュ送信する報知手段を有する構成とすることができる。
【００２７】
このような構成により、収集される車両情報が所定の基準に基づいて車両の状態が異常であることを表すと判定されるときに、携帯端末装置に報知情報が強制的にプッシュ送信されるので、車両が停止状態になった後、携帯端末装置の利用者は、走行中の前記車両の状態が所定の基準に基づいて異常であると判断される状態であったことを比較的早期に知ることができる。
【００２８】
本発明に係る第３の車両診断システムにおいて、前記携帯端末装置は、前記近距離無線通信規則に従って前記アダプタと無線接続状態になったとき、それを契機に、前記アプリケーションプログラムを立ち上げる制御手段を有する構成とすることができる。
【００２９】
このような構成によれば、携帯端末装置を所持する者が車両に搭乗する際に、その携帯端末装置のアプリケーションプログラムを立ち上げる操作を行わなくても、当該携帯端末装置がアダプタと近距離無線通信規則に従って無線接続の状態になれば、前記アプリケーションプログラムが自動的に立ち上がり、当該携帯端末装置において、アダプタから前記近距離無線通信規則に従った無線通信により前記車両情報を取得すること、及び、その取得された車両情報を前記インターネット上の前記サーバ装置に送信することを、自動的に開始させることができる。
【００３０】
本発明に係る携帯端末装置は、前記第３の車両診断システムに用いられる携帯端末装置であり、本発明に係るサーバ装置は、前記第３の車両診断システムに用いられるサーバ装置である。
【発明の効果】
【００３１】
本発明に係る第１及び第２の車両診断システム及び本発明に係る第１及び第２の車両診断方法によれば、診断用端末装置から出力される車両情報に基づいた情報に基づいて、車両について詳しい者（例えば、車両の整備士）が車両を診断（遠隔診断）することができる。そのため、得られた診断結果により車両についての知識の乏しい者に対する車両の診断支援を適切に行うことができる。
【００３２】
また、本発明に係る第３の車両診断システムによれば、車両の制御装置からアダプタによって収集される車両情報が、サーバ装置において、所定アルゴリズムに従って集計処理され、携帯端末装置からの要求に応じて、前記集計処理の結果に基づいた所定種類の診断情報がサーバ装置から前記携帯端末装置に送信されるので、単なる車両情報ではなく、当該車両情報を集計処理した結果に基づいた診断情報を携帯端末装置において確認することができる。従って、前記携帯端末を所持者が車両についての知識が乏しい者であっても、その者に対してより適切な車両の診断支援を行なうことができる。
【図面の簡単な説明】
【００３３】
【図１】図１は、本発明の実施の形態に係る車両診断システムの基本的な構成を示す図である。
【図２】図２は、図１に示す車両診断システムにおけるアダプタの具体的な構成例を示すブロック図である。
【図３】図３は、図１に示す車両診断システムにおける携帯端末装置（スマートフォン）の具体的な構成例を示すブロック図である。
【図４】図４は、図１に示す車両診断システムにおける診断用端末装置（タブレット）の具体的案構成例を示すブロック図である。
【図５】図５は、図１に示す車用診断システムにおけるサーバ装置の具体的な構成例を示すブロック図である。
【図６】図６は、図１に示す車両診断システムにおいて、車両のＥＣＵから車用情報が収集される際に、アダプタ、携帯端末装置及びサーバ装置において行なわれる通信の手順例を示すシーケンス図である。
【図７Ａ】図７Ａは、図６に示す手順に従って通信を行なう、アダプタ、携帯端末装置及びサーバ装置のそれぞれにおける処理機能を示すブロック図である。
【図７Ｂ】図７Ｂは、サーバ装置における処理機能を示すブロック図である。
【図７Ｃ】図７Ｃは、通信を行なうサーバ装置及び携帯端末装置のそれぞれにおける処理機能を示すブロック図である。
【図８Ａ】図８Ａは、携帯端末装置におけるアラート情報の表示例を示す図である。
【図８Ｂ】図８Ｂは、携帯端末装置におけるアラート情報の他の表示例を示す図である。
【図９Ａ】図９Ａは、携帯端末装置における診断情報の表示例を示す図である。
【図９Ｂ】図９Ｂは、携帯端末装置における診断情報の他の表示例を示す図である。
【図９Ｃ】図９Ｃは、携帯端末装置における診断情報のさらに他の表示例を示す図である。
【図１０Ａ】図１０Ａは、図１に示す車両診断システムにおいて、車両の遠隔診断を行なう際に、アダプタ、携帯端末装置、サーバ装置及び診断用端末装置において行なわれる通信の手順（その１）及び携帯端末装置での処理の手順の一例を示すシーケンス図である。
【図１０Ｂ】図１０Ｂは、図１に示す車両診断システムにおいて、車両の遠隔診断を行なう際に、アダプタ、携帯端末、管理サーバ、及び診断用端末装置において行なわれる通信の手順（その２）及び携帯端末装置及び診断用端末装置のそれぞれでの処理の手順の一例を示すシーケンス図である。
【図１１Ａ】図１１Ａは、遠隔診断開始時における診断用端末装置での表示例を示す図である。
【図１１Ｂ】図１１Ｂは、遠隔診断における診断用端末装置での表示例を示す図である。
【図１２】図１２は、診断用端末装置における診断レポートの入力画面の一例を示す図である。
【図１３】図１３は、携帯端末装置における診断レポートの表示例を示す図である。
【発明を実施するための形態】
【００３４】
以下、本発明の実施の形態について図面を用いて説明する。
【００３５】
本発明の実施の形態に係る車両診断システムは、図１に示すように構成される。
【００３６】
図１において、車両診断システムは、車両５０に搭載されたアダプタ１０と、車両５０の搭乗者（例えば、運転者）によって所持された携帯端末装置２０と、インターネット１００上のサーバ装置３０と、例えば、車両整備工場の整備員等により所持される診断用端末装置４０とを備えた構成である。アダプタ１０は、例えば、ＯＢＤ（On-board diagnostics）アダプタであって、後述するように、車両５０内に設けられたコネクタ１５（図２参照）に接続されて、車両５０の各種ＥＣＵ（Electronic Control Unit：制御装置）と情報の送受を行なう。また、アダプタ１０は、近距離無線通信規則、例えば、Bluetooth （登録商標）Low Energy（以下、単に、ＢＬＥという）の規則に従った無線通信が可能である。携帯端末装置２０は、例えば、スマートフォンであって、所定のアプリケーションプログラム（以下、単にアプリという）に従って動作し、アダプタ１０とＢＬＥの規則に従って無線通信を行なう一方、所定の移動体通信網（図示略）を介してインターネット１００上の装置との通信が可能である。また、診断用端末装置４０は、例えば、タブレットＰＣ端末であって、所定の移動体通信網（図示略）を介してインターネット１００上の装置との通信が可能である。インターネット１００上のサーバ装置３０は、後述するように、各種情報処理の機能及び情報の蓄積機能等を有し、携帯端末装置２０（スマートフォン）及び診断用端末装置４０（タブレットＰＣ端末）のそれぞれと所定の通信プロトロコルに従った通信が可能である。
【００３７】
アダプタ１０は、例えば、図２に示すように、処理ユニット１１、ＢＬＥ通信ユニット１２、メモリ１３、及び通信インタフェース１４を有している。ＢＬＥ通信ユニット１２は、処理ユニット１１の制御のもと、ＢＬＥの規則に従った無線通信を行なう。通信インタフェース１４は、処理ユニット１１の制御のもと、車両５０の車載ネットワークシステムに接続されて車両５０の各部の制御や種々のセンサからの情報収集等を行なう各種ＥＣＵとコネクタ１５を介して情報の送受を行なう。処理ユニット１１は、通信インタフェース１４及びコネクタ１５を介して、各種ＥＣＵから車両５０の状態を表す車両情報（ＥＣＵログ）を収集してメモリ１３に格納する処理を行なう。また、処理ユニット１１は、ＢＬＥ通信ユニット１２に、メモリ１３に格納された車両情報（ＥＣＵログ）をＢＬＥの規則に従った無線通信により送信させるための処理を行なう。
【００３８】
携帯端末装置２０は、例えば、図３に示すように、処理ユニット２１、移動体通信ユニット２２、ＢＬＥ通信ユニット２３、操作ユニット２４、表示ユニット２５及びメモリ２６を有している。移動体通信ユニット２２は、処理ユニット２１の制御のもと、移動体通信網（移動電話通信網等）を介して、インターネット１００上の装置と通信を行なう。ＢＬＥ通信ユニット２３は、処理ユニット２１の制御のもと、ＢＬＥの規則に従った無線通信を行なう。処理ユニット２１は、メモリ２６に格納されたアプリに従って動作し、各部（移動体通信ユニット２２、ＢＬＥ通信ユニット２３、表示ユニット２５、メモリ２６）を制御するとともに、操作ユニット２４での操作に応じて種々の処理を行なう。処理ユニット２１は、ＢＬＥ通信ユニット２３が、前述したようにアダプタ１０のＢＬＥ通信ユニット１２からＢＬＥの規則に従った無線通信により送信される車両情報（ＥＣＵログ）を受信すると、その車両情報をメモリ２６に格納し、更に、移動体通信ユニット２２に、メモリ２６に格納された車両情報（ログ情報）をサーバ３０に宛てて送信させる一連の処理を行なう。なお、表示ユニット２５は、処理ユニット２１の制御のもと、各種情報を表示する。
【００３９】
診断用端末装置４０は、例えば、図４に示すように、処理ユニット４１、移動体通信ユニット４２、操作ユニット４３、表示ユニット４４及びメモリ４５を有している。移動体通信ユニット４２は、処理ユニット４１の制御のもと、移動体通信網（移動電話通信網等）を介して、インターネット１００上の装置と通信を行なう。処理ユニット４１は、各部（移動体通信ユニット４２、表示ユニット４４、メモリ４５）を制御するとともに、操作ユニット４３での操作に応じて種々の処理を行なう。処理ユニット４１は、移動体通信ユニット４２が、インターネット１００上のサーバ装置３０から送信される車両情報を受信すると、その車両情報をメモリ４５に格納し、その格納された車両情報に基づいた情報を表示ユニット４４に表示させるための処理を行なう。なお、表示ユニット４４は、処理ユニット４１の制御のもと、前記車両情報に基づいた情報の他、各種情報を表示する。
【００４０】
サーバ装置３０は、例えば、図５に示すように、処理ユニット３１、通信ユニット３２及び記憶部３３を有している。通信ユニット３２は、処理ユニット３１の制御のもと、インターネット１００を介して、前述した携帯端末装置２０の移動体通信ユニット２２及び診断用端末装置４０の移動体通信ユニット４２（図５参照）のそれぞれと所定の通信プロトコルに従って情報通信を行なう。記憶部３３には、処理ユニット３１の管理のもと、種々の情報が蓄積される。種々の情報処理を行なう処理ユニット３１は、通信ユニット３２により受信する携帯端末装置２０からの車両情報（ログ情報）を記憶部３３に格納し、記憶部３２に格納された車両情報を所定のアルゴリズムに従って集計処理する。この集計処理の結果に基づいた所定種類の診断情報が記憶部３３に格納される。また、処理ユニット３１は、通信ユニット３２にて受信される携帯端末装置２０からの要求に応じて、記憶部３３に格納された診断情報を、通信ユニット３２から携帯端末装置２０（移動体通信ユニット２２）に送信させる。
【００４１】
前述した構成の車両診断システムでは、図６、図７Ａ、図７Ｂ及び図７Ｃに示す手順に従って、日常的な車両診断に係る処理が行われる。
【００４２】
図６に示すように、車両５０のエンジン始動時にアクセサリスイッチＡｃｃがオン操作されると、車両５０内に設けられたコネクタ１５に接続されたアダプタ１０に電源供給がなされ、アダプタ１０が有効になる。すると、アダプタ１０のＢＬＥ通信ユニット１２がＢＬＥ規則に従って探索信号を繰返し放送するようになる。この状態で、ＢＬＥ通信ユニット２３がＢＬＥの規則に従ってサーチ動作を行なう携帯端末装置２０を所持した者（例えば、運転者）が車両５０に乗り込み、携帯端末装置２０（ＢＬＥ通信ユニット２３）がアダプタ１０からの探索信号を受信すると、アダプタ１０（ＢＬＥ通信ユニット１２）と携帯通信端末２０（ＢＬＥ通信端末２３）とがＢＬＥの規則に従って接続手順を実行する。その接続手順によって、アダプタ１０（ＢＬＥ通信ユニット１２）と携帯端末装置２０（ＢＬＥ通信ユニット２３）との間のＢＬＥ接続が確立する。
【００４３】
アダプタ１０（ＢＬＥ通信ユニット１２）と携帯通信端末装置２０（ＢＬＥ通信ユニット２３）との間のＢＬＥ接続が確立してそれらが無線接続状態になると、携帯端末装置２０では、これを契機に、処理ユニット２１（制御手段）が、日常的な車両診断に係るアプリを立ち上げて、バックブラウンでそのアプリを実行する。その結果、携帯端末装置２０では、車両診断に係るホーム画面や他の診断に係る画面が表示されることなく、日常的な車両診断に係る処理が行われる。
【００４４】
日常的な車両診断では、図６に示すように、アダプタ１０によって、車両５０の各種ＥＣＵから車両５０の状態を表す種々の車両情報（例えば、バッテリ電圧、エンジン回転数、車速、冷却水の液温、瞬間燃費、消費燃料料、ガソリン残量、空気圧、タイヤ摩耗に関するセンサ値等）が収集される。アダプタ１０によって収集された種々の車両情報（ＥＣＵログ）は、アダプタ１０（ＢＬＥ通信ユニット１２）からＢＬＥの規則に従った無線通信によって携帯端末装置２０に送信される。アダプタ１０から送信される種々の車両情報が携帯端末装置２０（ＢＬＥ通信ユニット２３）によって受信されると、その車両情報（ログ情報）は、更に、携帯端末装置２０（移動体通信ユニット２２）からインターネット１００上のサーバ装置３０（通信ユニット３２）に送信される。そして、サーバ装置３０では、受信した車両情報が所定のアルゴリズムにしたって集計処理される。
【００４５】
更に、具体的には、図７Ａ〜図７Ｃに示すように処理がなされる。
【００４６】
まず、図７Ａに示すように、アダプタ１０では、車両５０の各種ＥＣＵから種々の車両情報が取得され（Ｆ１１）、その車両情報（ＥＣＵログ）がメモリ１３に順次格納される。そして、メモリ１３から車両情報が順次読み出され、その車両情報が、所定周期（例えば、１秒周期）で、ＢＬＥの規則に従った無線通信により携帯端末装置２０に送信される（Ｆ１２）。携帯端末装置２０では、アダプタ１０から送信される車両情報（ＥＣＵログ）を受信すると、その車両情報に自装置に搭載されたＧＰＳユニットにて検出される（Ｆ２２）位置情報を付加してログ情報としてメモリ２６に順次格納される。そして、所定期間（例えば、５分間）メモリ２６に蓄積されたログ情報（車両情報＋位置情報）が一度にインターネット１００上のサーバ装置３０に送信される（Ｆ２３）。
【００４７】
サーバ装置３０では、図７Ａとともに図７Ｂに示すように、携帯端末装置２０からログ情報が受信されると（Ｆ３１）、そのログ情報が順次記憶部３３に格納されていく。そして、車両５０が停止（ドライブ終了）したか否かが判定される（Ｆ３２）。具体的には、前述したように、エンジン始動によってアダプタ１０に電源が供給されることから、エンジンが停止している、即ち、車両が停止しているか否かは、例えば、前記ログ情報が所定期間以上受信されなくなったか否かによって判定することができる。
【００４８】
サーバ装置３０では、車両５０が停止した状態であることの確認がなされると、記憶部３３に蓄積されたログ情報（車両情報＋位置情報）が所定のアルゴリズムに従って集計処理される（Ｆ３３）。この集計処理の過程で、取得された車両情報が、所定の基準に基づいて、車両５０が走行に支障をきたす可能性のある状況、例えば、エンストする可能性がある状況を表している、オーバーヒートする可能性がある状況を表している等と判定されると、予防診断アラート処理（Ｆ３４）が行われる。その結果、所定のアラート情報（報知情報）が、予防診断の結果情報として、サーバ装置３０から携帯端末装置２０にプッシュ送信される。このプッシュ送信されるアラート情報を受信する携帯端末装置２０では、例えば、図８Ａに示すように、予防診断の結果情報としてアラート情報が表示される。これにより、運転者は、そのアラート情報に基づいて、車両５０が走行に支障をきたす状況であることを認識することができ、車両５０をより早期に整備することが可能となる。
【００４９】
図７Ｂにおいて、前記集計処理によって、バッテリの充電状況、エンジンオイルの量、タイヤの摩耗等を表す予防整備関連集計データ、急発進、急制動の繰り返しによるストレス運転に関する集計データ、ログ情報に含まれる位置情報から集計される走行履歴のデータが順次得られ、記憶部３３に蓄積される。また、前述したアラート情報の発生に関する集計データ（予防診断アラート検知集計データ）も記憶部３３に蓄積される。
【００５０】
サーバ装置３０では、前記予防整備関連集計データ（バッテリの充電状況、エンジンオイルの量、タイヤの摩耗等を表すデータ等）に基づいて予防整備アラート処理（Ｆ３５）が行われる。具体的には、バッテリの充電状況に基づいてバッテリの交換をすべきか否かの判定、エンジンオイルの量に基づいてエンジンオイルを交換すべきか否かの判定等の処理等が行われる。その結果、アラートすべき状況、例えば、バッテリを交換すべき状況であると判定されると、所定のアラート情報（報知情報）が、予防整備の判断結果として、サーバ装置３０から携帯端末装置２０にプッシュ送信される。このプッシュ送信されるアラート情報を受信する携帯端末装置２０では、例えば、図８Ｂに示すように、予防整備の判断結果としてアラート情報が表示される。これにより、運転者は、そのアラート情報に基づいて、バッテリ等の部品交換が必要であることが認識することができ、アラートに係る部品（例えば、バッテリ）を問題が発生する前に交換することができる。
【００５１】
図７Ｂにおいて、サーバ３０では、ストレス運転に関する集計データから、車両５０に対してストレスがかかっているか否かの判定処理（Ｆ３６）が行われる。この判定処理では、急発進、急制動や、タイヤ摩耗の状況等に基づいて、車両５０にストレスがかかっているか否かが判定される。また、前記予防整備アラート処理（Ｆ３５）により得られた消耗品についてのアラート情報が記憶部３３に蓄積される。
【００５２】
図７Ｂとともに図７Ｃに示すように、携帯端末装置２０において、マイカー情報参照（Ｆ２４）に係る要求操作がなされると、その要求に応じて、サーバ装置３０は、マイカー情報インタエース（Ｆ３７）を介して、予防診断情報や、予防整備のアラート情報を携帯端末装置２０に提供（送信）する。その結果、携帯端末装置２０では、例えば、図９Ａ及び図９Ｂに示すように、整備品（バッテリ、エンジンオイル）の交換の要否等、予防整備の情報が表示される。これにより、運転者は、バッテリの充電電圧やオイルの使用期間等だけではなく、交換の要否の状況についても知ることができる。
【００５３】
また、携帯端末装置２０において、ドライブ情報参照（Ｆ２５）に係る要求操作がなされると、その要求に応じて、サーバ装置３０は、ドライブ情報インタフェース（Ｆ３８）を介して、ドライブ履歴やカーストレス状況に関する情報を携帯端末装置２０に提供（送信）する。その結果、携帯端末装置２０では、例えば、図９Ｃに示すように、エンジン、ミッション、タイヤ、ブレーキパッド、バッテリについてのストレス状況（Ａ（低）、Ｂ（中）、Ｃ（高））の３段階で表すストレス評価情報が表示される。これにより、運転者は、自分の運転が車両にストレスをかけているか否かを判断することができる。
【００５４】
本実施の形態に係る車両診断システムでは、前述したような日常的な車両診断に係る処理の他、車両５０を実際に整備工場に納車しなくても、整備員が遠隔の地で診断することができる遠隔診断に係る処理が行われる。この遠隔診断に係る処理は、図１０Ａ及び図１０Ｂに示す手順に従って行われる。なお、遠隔診断については、車両５０の所有者と整備を行なう者（整備工場の整備員）との合意がとれており、車両５０の所有者は携帯端末装置２０を所持して車両５０に乗り込んでおり、また、整備員は、診断用端末装置４０を所持して待機している。例えば、診断用端末装置４０には、図１１Ａに示すように、遠隔診断の予約状況を示す診断開始画面が表示されており、予約された車両についての事項が選択されるとともに、遠隔診断開始ボタンの操作がなされると、前記選択された車両についての遠隔診断係る処理が開始される。
【００５５】
図１０Ａにおいて、前述した日常的な車両診断の場合と同様に、ＢＬＥの規則に従ってサーチ動作を行っている携帯端末装置２０（ＢＬＥ通信ユニット２３）が、アダプタ１０（ＢＬＥ通信ユニット１２）からＢＬＥの規則に従って放送される探索信号を受信すると、アダプタ１０（ＢＬＥ通信ユニット１２）と携帯端末装置２０（ＢＬＥ通信ユニット２３）との間のＢＬＥ接続が確立し、それらによるＢＬＥの規格に従った無線通信が可能な状態になる。この状態で、アダプタ１０によって、車両５０の各種ＥＣＵから種々の車両情報が収集され、その車両情報が、アダプタ１０（ＢＬＥ通信ユニット１２）からＢＬＥの規則に従った無線通信によって携帯端末装置２０に送信される。
【００５６】
アダプタ１０から車両情報を受信する携帯端末装置２０では、受信した車両情報に基づいて、車両５０が所定速度（例えば、５ｋｍ／ｈ）より低い停止状態であることが確認（Ｓ２１）されると、画面上の診断開始ボタンが有効化される（Ｓ２２）。そして、その診断開始ボタンの操作（Ｓ２３）が行われると、表示画面が診断待機画面に切換る。
【００５７】
つづいて、携帯端末装置２０（移動体通信ユニット２２）からサーバ装置３０に接続要求が送信されると、サーバ装置３０は、その応答（接続確認）を行って、通信ユニット３２と携帯端末装置２０（移動体通信ユニット２３）との間の通信路を形成する。また、診断用端末装置４０（移動体通信ユニット４２）からサーバ装置３０に接続要求が送信されると、サーバ装置３０は、その応答（接続確認）を行って、診断用端末装置４０（移動体通信ユニット４２）との間の通信路を形成する。これにより、携帯端末装置２０（移動体通信ユニット２３）と診断用端末装置（移動体通信ユニット４２）とが、サーバ装置３０を介して相互に通信可能な状態になる。
【００５８】
この状態で、図１０Ｂに示すように、診断用端末装置４０において情報要求の操作（Ｓ４１）がなされると、診断用端末装置４０（移動体通信ユニット４２）から情報要求コマンドが、インターネット１０上のサーバ装置３０に、そして、サーバ装置３０（通信ユニット３２）から携帯端末装置２０（移動体通信ユニット２２）に、更に、携帯端末装置２０（ＢＬＥ通信ユニット２３）からＢＬＥの規則に従った無線通信によりアダプタ１０（ＢＬＥ通信ユニット１２）に順次伝送される。このようにして、診断用端末装置４０からアダプタ１０に至る要求コマンド伝送システムにより、診断用端末装置４０から送信された情報要求コマンドがアダプタ１０にて受信されると、アダプタ１０は、その情報要求コマンドに応答して、車両５０の各種ＥＣＵから種々の車両情報（例えば、故障の状況を特定する故障コード、エンジン冷却水温度、エンジン回転数、車両スピード等）を収集する。
【００５９】
アダプタ１０によって収集された車両情報は、アダプタ１０（ＢＬＥ通信ユニット１２）からＢＬＥの規則に従った無線通信により携帯端末装置２０（ＢＬＥ通信ユニット２３）に、そして、携帯端末装置２０（移動体通信ユニット２２）からインターネット１００上のサーバ装置３０に、更に、サーバ装置３０から診断用端末装置４０（移動体通信ユニット４２）に順次伝送される。このようにして、アダプタ１０から診断用端末装置４０に至る要求応答伝送システムにより、アダプタ１０によって収集された車両５０の車両情報が遠隔の診断用端末装置４０に提供される。
【００６０】
診断用端末装置４０では、前述した情報要求コマンドが送信された後、前記車両情報を受信すると、その車両情報に基づいた、例えば、図１１Ｂに示すような遠隔診断画面が、車両５０を診断する情報として、表示（出力）される（Ｓ４２）。図１１Ｂに示す遠隔診断画面では、故障コード、エンジン冷却水水温、燃料圧力セン値、エンジン回転数、車両スピード等の項目についての情報が表示される。
【００６１】
整備員は、診断用端末装置４０の遠隔診断画面（図１１Ｂ参照）を見て、車両５０がどのような状態にあるかを診断する。そして、診断が終了して、所定の終了操作が行われると（Ｓ４３）、診断用端末装置４０から終了通知がサーバ装置３０に送信され、その応答として、サーバ装置３０から終了確認が診断用端末装置４０に送信される。これにより、サーバ装置３０と診断用端末装置４０との間の通信路が解消される。また、前記終了通知を受信したサーバ装置３０は、終了通知を携帯端末装置２０に送信した後、携帯端末装置２０との間の通信路を解消する。そして、前記終了通知を受信した携帯端末装置２０では、表示ユニット２５に遠隔診断終了画面が表示される。この遠隔診断終了画面により、携帯端末装置２０の所持者である車両５０の所有者は、遠隔診断が終了したことを知ることができる。
【００６２】
診断用端末装置４０の遠隔診断画面（図１１Ｂ参照）を見て、車両５０の状態を診断すると、例えば、図１２に示すような、診断用端末装置４０の診断レポート画面において、その診断結果を入力することができる。診断結果を入力後、所定の送信操作が行われると、診断用端末装置４０から携帯端末装置２０に宛てて診断レポートの送信処理がなされる。この診断レポートは、例えば、サーバ装置３０を介すことなく、インターネット１００を介して携帯端末装置２０に伝送される。このような診断レポートを受信した携帯端末装置２０では、例えば、図１３に示すような診断レポートが表示される。これにより、車両５０の所持者は、車両の構造等の知識が乏しくても、当該車両５０の状況について、車両の構造等について詳しいプロの整備員による診断の結果を得ることができる。その結果、車両５０の状態についての正確な判断を行なうことができる。
【００６３】
上述した例では、アダプタ１０とサーバ装置３０とは、携帯端末装置２０を介して情報の送受を行っていたが、これに限られず、例えば、アダプタ１０にサーバ装置３０との通信部を設けるなど、他の通信システムによって、アダプタ１０とインターネット１００上のサーバ装置３０との間の情報の送受を可能にすることができる。
【００６４】
以上、本発明の実施の形態及び各部の変形例を説明したが、この実施の形態や各部の変形例は、一例として提示したものであり、発明の範囲を限定することは意図していない。上述したこれら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明に含まれる。
【符号の説明】
【００６５】
１０  アダプタ
１１  処理ユニット
１２  ＢＬＥ通信ユニット
１３  メモリ
１４  通信インタフェース
１５  コネクタ
２０  携帯通信端末（スマートフォン）
２１  処理ユニット
２２  移動体通信ユニット
２３  ＢＬＥ通信ユニット
２４  操作ユニット
２５  表示ユニット
２６  メモリ
３０  サーバ装置
３１  処理ユニット
３２  通信ユニット
３３  記憶部
４０  診断用端末装置（タブレットＰＣ端末）
４１  処理ユニット
４２  移動体通信ユニット
４３  操作ユニット
４４  表示ユニット
５０  車両
１００  インターネット
【図１】
2019027816.tif 000003
【図２】
2019027816.tif 000004
【図３】
2019027816.tif 000005
【図４】
2019027816.tif 000006
【図５】
2019027816.tif 000007
【図６】
2019027816.tif 000008
【図７Ａ】
2019027816.tif 000009
【図７Ｂ】
2019027816.tif 000010
【図７Ｃ】
2019027816.tif 000011
【図８Ａ】
2019027816.tif 000012
【図８Ｂ】
2019027816.tif 000013
【図９Ａ】
2019027816.tif 000014
【図９Ｂ】
2019027816.tif 000015
【図９Ｃ】
2019027816.tif 000016
【図１０Ａ】
2019027816.tif 000017
【図１０Ｂ】
2019027816.tif 000018
【図１１Ａ】
2019027816.tif 000019
【図１１Ｂ】
2019027816.tif 000020
【図１２】
2019027816.tif 000021
【図１３】
2019027816.tif 000022